(57)【要約】【課題】  アスファルト舗装地に設置する際の施工作業性に優れると共に設置時間が大幅に短縮され、しかも設置後における被接合壁面と舗装地の舗装層との接合部の強固な水密状態の接着を確保し、前記被接合壁面に対して舗装層を強固に接着一体化させると共に、それらの接合部からの雨水の浸入、路盤の洗掘及び舗装層の沈下等を生起させないアスファルト舗装地用ＰＣ構造体及びその設置工法を提供する。【解決手段】  アスファルト舗装地Ｒの域内に又はその側縁に沿って設置されるＰＣ構造体Ｑにおいて、設置時に舗装地Ｒの舗装層Ｓと対向して接合される被接合壁面Ｗにアスファルト接着剤層Ｌが形成されている。設置工程におけるアスファルト合材からなる舗装材の敷設に際しては、前記アスファルト接着剤層Ｌが加熱溶融される。【選択図】  図１
2011038350.tif 000002
【特許請求の範囲】
【請求項１】
アスファルト舗装地の域内に又はその側縁に沿って設置されるＰＣ構造体において、設置時に舗装地の舗装層と対向して接合される被接合壁面にアスファルト接着剤層が形成されたことを特徴とするＰＣ構造体。
【請求項２】
非透水性舗装層上に透水性舗装層を積層してなる排水性舗装層を含むアスファルト舗装地の域内に又はその側縁に沿って設置されるＰＣ構造体において、内部又は表面に排水路を備え、設置時に被接合壁面における透水性舗装層と対向して接合される壁面部分に、該透水性舗装層を透過する雨水を前記排水路内に流出させるための水抜き手段が穿設されると共に、前記被接合壁面に、前記水抜き手段の穿設口を除いてアスファルト接着剤層が形成された請求項１に記載のＰＣ構造体。
【請求項３】
前記被接合壁面が部分的又は全体的に下拡がりに形成された請求項１又は２に記載のＰＣ構造体。
【請求項４】
前記アスファルト接着剤層が、多孔性、含浸性シート基材にアスファルト材を担持させてなるアスファルトシートからなる請求項１〜３の何れかに記載のＰＣ構造体。
【請求項５】
前記アスファルト接着剤層の表面に保護フィルムが剥離可能に被覆された請求項１〜４の何れかに記載のＰＣ構造体。
【請求項６】
前記アスファルト接着剤層の表面に耐熱性材料からなる微粒が付着された請求項１〜４の何れかに記載のＰＣ構造体。
【請求項７】
設置後に舗装地から露出する壁面に防汚フィルムが剥離可能に接着された請求項１〜６の何れかに記載のＰＣ構造体。
【請求項８】
請求項１〜７の何れかに記載のＰＣ構造体をアスファルト舗装地又は舗装予定地の域内に又はその側縁に沿って据付固定する工程と、据付固定された前記ＰＣ構造体における被接合壁面上のアスファルト接着剤層を加熱溶融する工程と、加熱されたアスファルト合材からなる舗装材を、前記ＰＣ構造体の被接合壁面に沿って敷設すると共に締め固め、それによって前記舗装材をＰＣ構造体の被接合壁面にアスファルト接着剤層を介して接着させると共に該被接合壁面に沿って舗装層を構築する工程とを含むことを特徴とするＰＣ構造体の設置工法。
【発明の詳細な説明】
【技術分野】
【０００１】
本発明は、道路等のアスファルト舗装地の域内に又はその側縁に沿って設置される側溝、歩車道境界ブロック等のアスファルト舗装地用ＰＣ構造体（プレキャストコンクリート構造体）及びその設置工法に関する。
【背景技術】
【０００２】
道路等のアスファルト舗装地へのＰＣ構造体の設置に際して、該舗装地における表層、基層等のアスファルト舗装層は、それと対向するＰＣ構造体の壁面に接合される（特許文献１及び２参照）。
【０００３】
前記ＰＣ構造体の被接合壁面と舗装地の舗装層との接合部は、通常、施工現場において接着剤としてのアスファルト乳剤等を介して接着され、具体的には、所定位置に据付固定されたＰＣ構造体の被接合壁面に前記アスファルト乳剤が散布等の方法で塗布され、その後に、加熱されたアスファルト合材からなる舗装材が前記ＰＣ構造体の被接合壁面に沿って敷設されると共に締め固められ、それによって前記加熱舗装材がアスファルト乳剤を介してＰＣ構造体の被接合壁面に接着されると共に該被接合壁面に沿って所要構成の舗装層が構築されるものである。
【先行技術文献】
【特許文献】
【０００４】
【特許文献１】特開２００３−１６０９０５
【特許文献２】特開２００７−１０７２３２
【発明の概要】
【発明が解決しようとする課題】
【０００５】
しかしながら、前記のように、施工現場において、アスファルト乳剤等を、据付固定されたＰＣ構造体の被接合壁面に、限られた時間内に均一な厚みで塗り残しなく塗布することは極めて困難な作業であり、仮に前記のような状況下でＰＣ構造体の被接合壁面にアスファルト乳剤等を均一な厚みで塗り残しなく確実に塗布するためには高い熟練技能と多大の工数を要し、また構築後の舗装層における加熱舗装材の冷却を待つために交通解放の時間を遅らせることにもなる。
【０００６】
また、前記ＰＣ構造体の被接合壁面へのアスファルト乳剤等の塗布が前記のように不十分であると、設置後におけるＰＣ構造体の被接合壁面と舗装地の舗装層との接合部に接着不良、水密不良を生じ、該舗装層端部の強度低下及び不安定化を生じるのみならず、舗装地上に降った雨水が前記接合部から舗装層深部へと侵入し、路盤の洗掘及びそれによる舗装層の沈下を引き起こして、舗装地の寿命が急激に短縮すると共に該舗装地上を通行する歩行者や車両等に重大な危険が及ぶことになる。
【０００７】
本発明の課題は、前記従来技術の問題点に鑑み、アスファルト舗装地に設置する際の施工作業性に優れると共に設置時間が大幅に短縮され、しかも設置後における被接合壁面と舗装地の舗装層との接合部の強固な水密状態の接着を確保し、前記被接合壁面に対して舗装層を強固に接着一体化させると共に、それらの接合部からの雨水の浸入、路盤の洗掘及び舗装層の沈下等を生起させないアスファルト舗装地用ＰＣ構造体及びその設置工法を提供することにある。
【課題を解決するための手段】
【０００８】
前記課題を解決する、本発明に係るＰＣ構造体は、請求項１に記載のように、アスファルト舗装地の域内に又はその側縁に沿って設置されるＰＣ構造体において、設置時に舗装地の舗装層と対向して接合される被接合壁面にアスファルト接着剤層が形成されたことを特徴としている。
【０００９】
前記構成により、ＰＣ構造体の被接合壁面にアスファルト接着剤層が形成されているので、ＰＣ構造体を舗装地に設置する際の施工現場における前記被接合壁面へのアスファルト乳剤等からなる接着剤の均一で塗り残しのない塗布の工程、即ち困難で多大の工数を要する塗布工程を一切経ることなく、前記被接合壁面に予め形成されたアスファルト接着剤層の加熱溶融の工程、即ち容易で僅少の工数で足りる加熱溶融工程のみを経て、後に続くアスファルト舗装材の敷設、締め固めの工程へと移行することができ、それらの敷設、締め固めの工程で、前記被接合壁面上の加熱溶融されたアスファルト接着剤層と加熱されたアスファルト舗装材とが溶着され、それによってＰＣ構造体の被接合壁面と舗装地の舗装層との接合部が確実に接着されるのである。
【００１０】
また、前記構成により、設置後におけるＰＣ構造体の被接合壁面に対して舗装地の舗装層が強固に接着一体化されるので、該舗装層端部の強度保持及び安定化が図られ、また設置後におけるＰＣ構造体の被接合壁面と舗装地の舗装層との接合部は、前記のように、該被接合壁面に予め形成されたアスファルト接着剤層を介して水密状態に接着されるので、該被接合壁面と接合される舗装層が通常のアスファルト舗装のように非透水性舗装層を含む場合には、雨水等が前記接合部から路盤等の舗装層深部へと侵入することが防止される。
【００１１】
前記アスファルト舗装地として、例えばアスファルト舗装が施された道路、駐車場、公園、庭園等が包含され、またＰＣ構造体としては、例えばアスファルト舗装地上に降った雨水や舗装地の透水性舗装層を透過した雨水等の集水及び排水処理、歩道と車道間等の境界形成、舗装地域内の区画形成、舗装地への種々の設置物の基礎形成等を目的とするプレキャストコンクリート製の水路ブロック、排水ブロック、導水ブロック、暗渠、側溝、集水桝、道路境界ブロック、歩車道境界ブロック、舗装止め、縁石、車止め等が包含される。
【００１２】
アスファルト接着剤層は、必ずしも被接合壁面にその全面にわたって形成される必要はないが、設置後におけるＰＣ構造体の被接合壁面と舗装地の舗装層との接合部から雨水等が路盤等の舗装層深部へと侵入しないようにするためには、前記のように、舗装層における路盤等の舗装層深部に至る前に配置された非透水性舗装層と対向して接合される被接合壁面にアスファルト接着剤層が確実に形成されている必要がある。
【００１３】
非透水性舗装層上に透水性舗装層を積層してなる排水性舗装層を含むアスファルト舗装地の域内に又はその側縁に沿って設置されるＰＣ構造体においては、請求項２に記載のように、内部又は表面に管状、Ｕ字状、Ｌ字状等の排水路を備え、設置時に被接合壁面における透水性舗装層と対向して接合される壁面部分に、該透水性舗装層を透過する雨水を前記排水路内に流出させるための水抜き孔やそれらに透過雨水を案内する案内溝等の水抜き手段が穿設されると共に、前記被接合壁面に、前記水抜き手段の穿設口を除いてアスファルト接着剤層が形成される。
【００１４】
前記ＰＣ構造体の設置後において、舗装地に降った雨水は、透水性舗装層を透過し、非透水性舗装層で以降の舗装層への進入を阻止されつつ前記被接合壁面上の前記水抜き手段を介して排水路内に流出する。なお、前記ＰＣ構造体については、透水性舗装層とそれに対向する被接合壁面との接合部に水密性の接着は要求されないが、構築後の舗装層の強度保持や安定化のために、前記透水性舗装層と接合される被接合壁面にも前記水抜き手段の穿設口を除いてアスファルト接着剤層が形成され、それによって前記接合部の強固な接着が得られる。
【００１５】
なお、被接合壁面にアスファルト接着剤層が形成された前記ＰＣ構造体は、該被接合壁面に沿って構築される舗装層が雨水を敢えて舗装層深部の路盤を介して浸透排水させる透水性舗装層の場合にも、舗装層の強度保持や安定化のために適用可能であることは言うまでもない。
【００１６】
前記ＰＣ構造体の被接合壁面の形状としては、一面又は二面以上の平面及び／又は曲面からなるものが広く包含され、例えば従来多用される一面の垂直平面からなるものであってもよいが、他方、設置後に該被接合壁面に沿って構築される舗装層の端部を該被接合壁面に効果的に支持させ、該舗装層の沈下傾向を抑制し得るように、請求項３に記載のように、該被接合壁面が部分的に又は全体的に、傾斜、湾曲、段付け等で下拡がりに形成されたものも好適に採用することができる。例えば前記被接合壁面は、表層や表層及び基層等の特定の舗装層と接合される区域部分にのみ前記下拡がりの傾斜や湾曲が形成されてもよく、或いは該被接合壁面全域にわたって前記下拡がりの傾斜や湾曲が形成されてもよい。
【００１７】
前記ＰＣ構造体の被接合壁面へのアスファルト接着剤層の形成は、例えば、アスファルト、改質アスファルト等のアスファルト材を、必要に応じてアスファルト乳剤等によるタックコートを介して塗布することにより行われてもよいが、他方、均一なアスファルト接着剤層を確実に形成するためには、シート基材にアスファルト材を担持させてなるアスファルトシート、好ましくは、請求項４に記載のように、耐熱性のガラス繊維や化学繊維等からなる不織布、編織物その他の多孔性、含浸性シート基材にアスファルト、改質アスファルト等のアスファルト材を含浸、被覆、積層する等して担持させてなるアスファルトシートを使用し、これを、必要に応じてタックコート等を介して、またそのアスファルト材自体に元来備わるか粘着付与剤等の添加により強化された粘着性を利用して、或いはその被着面のアスファルト材をトーチバーナその他の手段で加熱溶融させながら貼着することにより行われてもよい。
【００１８】
前記のように塗布やアスファルトシートの貼着により形成されたアスファルト接着剤層の表面には、請求項５に記載のように、その加熱溶融時まで表面が汚染や汚損等から保護すると共に該表面がそれに接触したものと不用意に粘着しないように、例えば、ポリエチレン、ポリプロピレン、ポリエステル等のプラスチックフィルムや紙材等からなる保護フィルムが剥離可能に被覆されてもよく、或いは請求項６に記載のように、硅砂等の鉱物、セラミック等の耐熱性材料からなる微粒が付着されていてもよい。
【００１９】
前記ＰＣ構造体は、その製造から最終的な設置の完成に至るまでに表面に汚染を受け易く、特に設置工事等に際して黒色のアスファルト舗装材が該ＰＣ構造体における灰白色のコンクリート表面に付着すると、それによる汚染が際立ち、美観を損なうと共に施工の評価を低下させることになる。そこで、前記ＰＣ構造体として、請求項７に記載のように、設置後に舗装地から露出する上面等の壁面にポリエチレン、ポリプロピレン、ポリエステル等のプラスチックフィルムや紙材等からなる防汚フィルムが粘着剤層を介して剥離可能に接着されたものを採用すれば、前記壁面は、設置完了後に前記防汚フィルムが剥離除去されるまで防汚されて美麗な表面状態に保護されることになる。
【００２０】
前記のような構成のＰＣ構造体の設置工法は、例えば、請求項８に記載のように、前記ＰＣ構造体をアスファルト舗装地又は舗装予定地の域内に又はその側縁に沿って据付固定する工程と、据付固定された前記ＰＣ構造体における被接合壁面上のアスファルト接着剤層を加熱溶融する工程と、加熱されたアスファルト合材からなる舗装材を、前記ＰＣ構造体の被接合壁面に沿って敷設すると共に締め固め、それによって前記舗装材をＰＣ構造体の被接合壁面にアスファルト接着剤層を介して接着させると共に該被接合壁面に沿って舗装層を構築する工程とを含むことを特徴としている。
【００２１】
前記ＰＣ構造体の据付固定工程では、前記ＰＣ構造体が、その形態や種類に応じて、従来と同様の工法で、アスファルト舗装地又は舗装予定地の域内又はその側縁に沿って、所定の位置に所定の深さで、例えば、予め構築された基礎砕石等の基礎材上に均コンクリート、基礎コンクリート、敷モルタル等を介して据付固定される。
【００２２】
前記被接合壁面上のアスファルト接着剤層の加熱溶融工程では、前記のように据付固定された前記ＰＣ構造体における被接合壁面上のアスファルト接着剤層が例えばトーチバーナや熱風ヒータ等の加熱装置により加熱溶融され、それによって、後述されるように被接合壁面に沿って敷設された、加熱されたアスファルト舗装材と良好に溶着可能な状態とされる。
【００２３】
なお、既述のように、被接合壁面上のアスファルト接着剤層の表面に保護フィルムが剥離可能に被覆されてなるＰＣ構造体については、前記加熱溶融工程に先立って該保護フィルムが剥離除去される。また、既述のように、被接合壁面上のアスファルト接着剤層の表面にセラミック等の耐熱性材料からなる微粒が付着されてなるＰＣ構造体については、そのまま前記加熱溶融工程に供されることにより前記アスファルト接着剤層が加熱溶融されると共に前記微粒が表面からアスファルト接着剤層内部へと分散し、溶融アスファルト接着剤層で被覆されて一種の骨材として作用し、前記のように加熱溶融されたアスファルト接着剤層と加熱されたアスファルト舗装材との溶着に支障は生じない。
【００２４】
さらに、前記加熱舗装材の敷設、締め固め工程では、従来と同様の工法で、アスファルト合材からなる所要の舗装材が、前記のように加熱溶融されたアスファルト接着剤層の形成された被接合壁面に沿って、アスファルト舗装地又は舗装予定地の舗装構造や据付固定されたＰＣ構造体の深さ等に応じた構成で、例えば路盤、基層及び表層、或いは基層及び表層等を構成するように順次敷設されると共に転圧機等で締め固められ、それによって前記舗装材がＰＣ構造体の被接合壁面にアスファルト接着剤層を介して確実に接着されると共に該被接合壁面に沿って所要構成の舗装層が構築されるものである。なお、前記被接合壁面に沿って構築される舗装層が基層及び表層等のように複数層にわたる場合は、各層の構築ごとに前記所要の舗装材及びその締め固めが行われるが、その場合、必要に応じて、各層の構築ごとに、所要の舗装材の敷設に先立って該層に対向する被接合壁面上のアスファルト接着剤層の加熱溶融が行われる。
【００２５】
前記ＰＣ構造体が請求項２に記載のように排水性舗装層に対応する構造を有する場合は、被接合壁面における水抜き手段が穿設された壁面部分に沿って透水性舗装層が構築され、前記壁面部分より下位の壁面部分に沿って非透水性舗装層が構築される。
【００２６】
なお、設置後に舗装地から露出する壁面に汚染防止用の防汚フィルムが剥離可能に接着されたＰＣ構造体については、前記敷設、締め固めの完了後に該防汚フィルムが剥離除去される。
【発明の効果】
【００２７】
以上のように、請求項１に係る発明によれば、舗装地に設置する際の施工作業性に優れると共に設置時間が大幅に短縮され、しかも設置後における被接合壁面と舗装地の舗装層との接合部の強固な水密状態の接着が確保され、前記被接合壁面に対して舗装層が強固に接着一体化されると共に、それらの接合部からの雨水の浸入、路盤の洗掘及び舗装層の沈下等が生起しないＰＣ構造体が提供される。
【００２８】
請求項２に係る発明によれば、非透水性舗装層上に透水性舗装層を積層してなる排水性舗装層を含むアスファルト舗装地に好適に適用され得るＰＣ構造体が提供される。
【００２９】
請求項３に係る発明によれば、設置後に被接合壁面に沿って構築される舗装層の端部が該被接合壁面に効果的に支持され、該舗装層端部の強度保持及び安定化並びに該舗装層の沈下傾向の抑制に寄与し得るＰＣ構造体が提供される。
【００３０】
請求項４に係る発明によれば、被接合壁面に所定の品質と均一な厚みを有する強靭なアスファルト接着剤層が確実に形成されてなるＰＣ構造体が提供される。
【００３１】
請求項５に係る発明によれば、被接合壁面上のアスファルト接着剤層が、設置工程における加熱溶融時まで表面の粘着性を抑制されると共に加熱溶融時まで表面の汚染や汚損等から保護されるＰＣ構造体が提供される。
【００３２】
請求項６に係る発明によれば、被接合壁面上のアスファルト接着剤層が、設置工程における加熱溶融時まで表面の粘着性を抑制されると共に加熱溶融時まで表面の汚染や汚損等から保護され、しかも特別の追加作業なしにそのまま加熱溶融に供され得るＰＣ構造体が提供される。
【００３３】
請求項７に係る発明によれば、設置後に舗装地から露出する壁面が、設置完了後に前記防汚フィルムが剥離除去されるまで防汚されて美麗な表面状態に保護されるＰＣ構造体が提供される。
【００３４】
請求項８に係る発明によれば、前記ＰＣ構造体を、アスファルト舗装地の域内に又はその側縁に沿って、作業性よく、短時間で、しかも設置後における被接合壁面と舗装地の舗装層との接合部の強固な水密状態の接着を確保して設置することができる。
【図面の簡単な説明】
【００３５】
【図１】本発明に係るＰＣ構造体の一例の断面図であり、（Ａ）は据付固定前、（Ｂ）は据付固定時、（Ｃ）はアスファルト接着剤層の加熱溶融時、（Ｄ）は設置完了後の各状態を示している。
【図２】本発明に係るＰＣ構造体の被接合壁面に塗布により形成されたアスファルト接着剤層の要部断面図であり、（Ａ）は表面が露出したもの、（Ｂ）は表面に保護フィルムが剥離可能に被覆されたもの、（Ｃ）は表面に耐熱性材料からなる微粒が付着されたものを各々を示している。
【図３】本発明に係るＰＣ構造体の被接合壁面にアスファルトシートの貼着により形成されたアスファルト接着剤層の要部断面図であり、（Ａ）は表面が露出したもの、（Ｂ）は表面に保護フィルムが剥離可能に被覆されたもの、（Ｃ）は表面に耐熱性材料からなる微粒が付着されたものを各々を示している。
【図４】本発明に係るＰＣ構造体における被接合壁面の形状を例示する断面図であり、（Ａ）は被接合壁面が上部に下拡がりの傾斜壁面を含む複数面からなるもの、（Ｂ）は被接合壁面が上部に下拡がりの湾曲壁面を含む複数面からなるもの、（Ｃ）は被接合壁面が上部に下拡がりの傾斜壁面及び水平壁面を含む複数面からなるもの、（Ｄ）は被接合壁面が全体的に下拡がりの傾斜壁面からなるものを各々を示している。
【図５】本発明に係る、排水性舗装層に対応するＰＣ構造体における被接合壁面の形状と該被接合壁面へのアスファルト接着剤層の形成態様を例示する断面図であり、（Ａ）は被接合壁面が上部に下拡がりの傾斜壁面を含む複数面からなるもの、（Ｂ）は被接合壁面が上部に垂直壁面、水平壁面及び下拡がりの傾斜壁面を含む複数面からなるものを各々を示している。
【発明を実施するための形態】
【００３６】
以下に、本発明に係るアスファルト舗装地用ＰＣ構造体及びその設置工法を図面に基づいて具体的に説明する。
【００３７】
［ＰＣ構造体の構成とその設置工法］
図１（Ａ）において、例示されたＰＣ構造体Ｑは境界形成兼水路ブロックであり、内部に円管状排水路２が穿設され、上壁面に、前記排水路２に通じる複数の排水孔３が貫設されると共にそれらを連通させる案内溝４が穿設され、且つ上壁面後方に境界形成片５が突設され、設置時に前面側において舗装道路等のアスファルト舗装地の舗装層と対向して接合される被接合壁面Ｗとなる垂直壁面Ｗａにはアスファルト接着剤層Ｌが形成され、さらに設置後に舗装地から露出する上壁面と境界形成片５の上壁面及び前壁面に汚染防止用の防汚フィルムＦが剥離可能に接着されている。
【００３８】
前記ＰＣ構造体Ｑは、図１（Ｂ）に示すように、従来公知の工法により、舗装地Ｒの掘削された側縁に沿って、基礎砕石１１上に均コンクリート１２を介して据付固定される。なお、前記ＰＣ構造体Ｑ間の長さ方向の接合も、従来公知の接合手段により行われる。
【００３９】
次に、前記のように据付固定された前記ＰＣ構造体Ｑにおける被接合壁面Ｗ上のアスファルト接着剤層Ｌが、後述される加熱舗装材の敷設、締め固め工程に先立って、図１（Ｃ）に示すように、トーチバーナ、熱風ヒータ等の加熱装置１４により加熱溶融される。
【００４０】
続いて、アスファルト合材からなる所要の舗装材が、図１(Ｄ)に示すように、前記のように加熱溶融されたアスファルト接着剤層Ｌの形成された被接合壁面Ｗに沿って、従来公知の工法により、所要構成の舗装層Ｓ、即ち路盤Ｓａ並びに非透水性舗装層からなる基層Ｓｂ及び非透水性舗装層からなる表層Ｓｃを構成するようにプライムコート、タックコート等を介して順次敷設されると共に転圧機で締め固められ、それによって前記舗装材がＰＣ構造体Ｑの被接合壁面Ｗにアスファルト接着剤層Ｌを介して確実に接着されると共に該被接合壁面Ｗに沿って所要構成の舗装層Ｓが構築される。なお、必要に応じて、舗装層Ｓにおける基層Ｓｂ及び表層Ｓｃ等の構築ごとに、それらに対向する被接合壁面Ｗ上のアスファルト接着剤層Ｌの加熱溶融、所要舗装材の敷設及び締め固めが行われる。前記舗装層Ｓからなる舗装地Ｒは、表層Ｓｃの舗装材が放冷されて所定温度以下に至るのを待って交通解放に供される。
【００４１】
なお、ＰＣ構造体Ｑの用途や高さ寸法、設置深さ等によっては、その被接合壁面Ｗに沿って構築される舗装層Ｓが表層Ｓｃのみの場合や基層Ｓｂ及び表層Ｓｃの場合もあり得る。また、アスファルト接着剤層Ｌは、必ずしも被接合壁面Ｗにその全面にわたって形成される必要はなく、必要に応じて、例えば被接合壁面Ｗの内、表層Ｓｃと接合される壁面部分にのみ形成されてもよく、また路盤に至るまでの表層Ｓｃ及び／又は基層Ｓｂと接合される壁面部分に形成されてもよい。また、前記ＰＣ構造体Ｑの背面側、即ち前記舗装地Ｒと反対の側には、前記と共通又は別異の舗装地や歩道等の地面構造Ｈが従来公知の工法により構築されるが、ここではその詳細な説明を省略する。
【００４２】
前記舗装の施工完了によるＰＣ構造体Ｑの設置完了後に防汚フィルムＦが剥離除去され、それによって該ＰＣ構造体Ｑ本体の上壁面と境界形成片５の上壁面及び前壁面が舗装地Ｒから汚染のない美麗な表面状態で露出させられる。
【００４３】
前記ＰＣ構造体Ｑの設置後において、舗装地Ｒ上に降った雨水は非透水性舗装層からなる表層Ｓｃに沿って上壁面へと流下し、該上壁面における排水孔３及び案内溝４を介して排水路２内に流出する。なお、前記表層Ｓｃが透水性舗装層からなる場合も、舗装地Ｒ上に降った雨水は、表層Ｓｃに吸収され、透過されつつ、前記と同様に該表層Ｓｃに沿って上壁面へと流下することになるが、好ましくは、既述のように、或いは具体的に後述されるように、ＰＣ構造体Ｑの前記被接合壁面Ｗにおける前記透水性舗装層からなる表層Ｓｃと対向して接合される壁面部分に、該表層Ｓｃを透過する雨水を中央の排水路２等に排出させるための水抜き孔やそれらに透過雨水を案内する案内溝等の水抜き手段が穿設される。
【００４４】
［被接合壁面へのアスファルト接着剤層の形成］
ＰＣ構造体Ｑにおける被接合壁面Ｗへのアスファルト接着剤層Ｌの形成は、種々の態様で行われる。
【００４５】
例えば、図２に示すアスファルト接着剤層Ｌにおいては、ＰＣ構造体Ｑの被接合壁面Ｗにアスファルト材が均一な厚みで塗布され、それによってアスファルト塗布層２１からなるアスファルト接着剤層Ｌが形成されている。同図（Ａ）では、形成されたアスファルト接着剤層Ｌの表面がそのまま露出し、同図（Ｂ）では、形成されたアスファルト接着剤層Ｌの表面に、その加熱溶融時まで該表面を汚染や汚損等から保護すると共に該表面がそれに接触したものと不用意に粘着しないように、保護フィルム１５が剥離可能に被覆され、また同図（Ｃ）では、形成されたアスファルト接着剤層Ｌの表面に、前記と同様の理由で、硅砂等の鉱物、セラミック等の耐熱性材料からなる微粒１６が付着されている。
【００４６】
また、図３に示すアスファルト接着剤層Ｌにおいては、ＰＣ構造体Ｑの被接合壁面Ｗに、不織布からなるシート基材２３にアスファルト材２４を含浸、被覆してなるアスファルトシート２２が貼着され、それによってアスファルトシート２２からなるアスファルト接着剤層Ｌが形成されている。図３（Ａ）では、形成されたアスファルト接着剤層Ｌの表面がそのまま露出し、図３（Ｂ）では、形成されたアスファルト接着剤層Ｌの表面に、その加熱溶融時まで該表面を汚染や汚損等から保護すると共に該表面がそれに接触したものと不用意に粘着しないように、保護フィルム１５が剥離可能に被覆され、また図３（Ｃ）では、形成されたアスファルト接着剤層Ｌの表面に、前記と同様の理由で、硅砂等の鉱物、セラミック等の耐熱性材料からなる微粒１６が付着されている。
【００４７】
［被接合壁面の形状と舗装層の構築態様］
ＰＣ構造体Ｑにおける被接合壁面Ｗの形状としては、図１に示される一面の平坦な垂直壁面Ｗａのもの以外にも種々の形状が採用される。
【００４８】
例えば、図４（Ａ）において、例示されたＰＣ構造体ＱはＬ字形側溝ブロックであり、上面にＬ字形排水路６が穿設され、設置時に前面側において舗装地Ｒの舗装層Ｓと対向して接合される被接合壁面Ｗは、下拡がりの傾斜壁面Ｗｂ及び垂直壁面Ｗａが連接されてなり、設置工事に際して、表層Ｓｃ及び基層Ｓｂ等からなる舗装層Ｓが、前記構成の被接合壁面Ｗに沿って、それらの面上のアスファルト接着剤層Ｌを介して構築される。
【００４９】
図４（Ｂ）に示すＰＣ構造体Ｑにおいて、例示されたＰＣ構造体ＱもまたＬ字形側溝ブロックであり、上面にＬ字形排水路６が穿設され、設置時に前面側において舗装地Ｒの舗装層Ｓと対向して接合される被接合壁面Ｗは、下拡がりの湾曲壁面Ｗｃ及び垂直壁面Ｗａが連接されてなり、設置工事に際して、表層Ｓｃ及び基層Ｓｂ等からなる舗装層Ｓが、前記構成の被接合壁面Ｗに沿って、それらの面上のアスファルト接着剤層Ｌを介して構築される。
【００５０】
図４（Ｃ）において、例示されたＰＣ構造体Ｑは境界形成ブロックであり、設置時に前面側において舗装地Ｒの舗装層Ｓと対向して接合される被接合壁面Ｗは、下拡がりの傾斜壁面Ｗｂ、水平壁面Ｗｄ及び垂直壁面Ｗａが順次段状に連接されてなり、設置工事に際して、表層Ｓｃ及び基層Ｓｂ等からなる舗装層Ｓが、前記構成の被接合壁面Ｗに沿って、それらの面上のアスファルト接着剤層Ｌを介して構築される。
【００５１】
図４（Ｄ）において、例示されたＰＣ構造体Ｑは車止めブロックであり、設置時に四方周囲（前面側及び背面側の二方のみ図示される）の舗装地Ｒの舗装層Ｓと対向して接合される被接合壁面Ｗは、前面側における全体的に下拡がりの傾斜壁面Ｗｂ及び背面、両横面における垂直壁面Ｗａからなり、設置工事に際して、表層Ｓｃ及び基層Ｓｂ等からなる舗装層Ｓが、前記の被接合壁面Ｗに沿って、それらの面上のアスファルト接着剤層Ｌを介して各々構築される。
【００５２】
図４（Ａ）〜（Ｃ）に示される前記ＰＣ構造体Ｑにおいては、それらの背面側、即ち前記舗装地Ｒと反対の側に、必要に応じて、前記と共通又は別異の舗装地や歩道等の地面構造Ｈが従来公知の工法により構築される。なお、前記ＰＣ構造体Ｑの背面側に構築される前記地面構造Ｈが前記と同様にアスファルト舗装層である場合は、それらを構成する舗装層に対向して接合される背面側の被接合壁面Ｗにも、前記と同様にアスファルト接着剤層Ｌが形成されることが好ましい。
【００５３】
なお、図４（Ａ）〜（Ｄ）に示される前記ＰＣ構造体Ｑにおいても、図１に示される場合と同様に、必要に応じて、設置後に舗装地から露出する壁面に防汚フィルムＦが剥離可能に接着される。
【００５４】
［排水性舗装層に対応するＰＣ構造体の形状と舗装層の構築態様］
排水性舗装層に対応するＰＣ構造体Ｑには、通常、透水性舗装層を透過する雨水をブロック内部や表面に穿設された排水路に排出させるための水抜き通路が被接合壁面Ｗに穿設され、その場合、アスファルト接着剤層Ｌは前記水抜き通路の穿設口を除いて被接合壁面Ｗに形成される。
【００５５】
例えば、図５（Ａ）において、例示されたＰＣ構造体Ｑは一種の水路ブロックであり、内部に円管状排水路２が穿設され、上壁面に、前記排水路２に通じる複数の排水孔３が貫設されると共にそれらを連通させる案内溝４が穿設されている。
【００５６】
前記ＰＣ構造体Ｑにおいて、設置時に前面側において舗装地Ｒの舗装層Ｓと対向して接合される被接合壁面Ｗは、下拡がりの傾斜壁面Ｗｂ及び垂直壁面Ｗａが連接されてなり、前記傾斜壁面Ｗｂには、前記排水路２に通じる複数の水抜き孔７が貫設されると共にそれらを連通させる案内溝８が穿設され、前記被接合壁面Ｗにおける、前記傾斜壁面Ｗｂの水抜き孔７及びその案内溝８を除く部分にアスファルト接着剤層Ｌが形成され、さらに設置後に舗装地Ｒから露出する上壁面には排水孔３及びその案内溝４を含めて汚染防止用の防汚フィルムＦが剥離可能に接着され、図面では設置後における剥離始めの状態が示されている。
【００５７】
設置工事に際して、表層Ｓｃ及び基層Ｓｂ等からなる舗装層Ｓが、前記被接合壁面Ｗに沿って、それらの面上の各アスファルト接着剤層Ｌを介して各々構築され、その場合、透水性舗装層からなる表層Ｓｃは前記被接合壁面Ｗの傾斜壁面Ｗｂに沿って、また非透水性舗装層からなる基層Ｓｂ及びそれ以下の路盤Ｓａは前記被接合壁面Ｗの垂直壁面Ｗａに沿って各々構築される。
【００５８】
前記ＰＣ構造体Ｑの設置後において、舗装地Ｒ上に降った雨水の内、表層Ｓｃ表面を流れる雨水は前記上壁面における排水孔３及び案内溝４を介して排水路２内に流出し、また表層Ｓｃを透過した雨水は、非透水性舗装層からなる基層Ｓｂで以降の舗装層への進入を阻止されつつ、前記前記傾斜壁面Ｗｂにおける水抜き孔７及び案内溝８を介して排水路２内に流出する。
【００５９】
また、図５（Ｂ）に示すＰＣ構造体Ｑにおいて、例示されたＰＣ構造体Ｑは境界形成兼水路ブロックであり、内部に矩形管状排水路２が穿設され、上壁面前方に、前記排水路２に通じる複数の水抜き孔７が貫設されると共にそれらを連通させる案内溝８が穿設され、さらに上壁面後方に、前記排水路２に通じる複数の排水孔３が貫設されると共にそれらを連通させる案内溝４が穿設され、さらに前記上壁面後方に境界形成片５が突設されると共に該境界形成片５の底面に、前記上壁面後方上の複数の排水孔３及び案内溝４と連通する案内空洞９が穿設され、前記境界形成片５の前壁面に、前記案内空洞９に連通する複数の導水孔１０が穿設されている。
【００６０】
前記ＰＣ構造体Ｑにおいて、設置時に前面側において舗装地Ｒの舗装層Ｓと対向して接合される被接合壁面Ｗは、前記境界形成片５の前壁面における複数の導水孔１０より下位にある部分傾斜壁面Ｗｅ、並びにＰＣ構造体Ｑの水平壁面Ｗｄ、下拡がりの傾斜壁面Ｗｂ及び垂直壁面Ｗａが順次段状に連接されてなり、前記被接合壁面Ｗにおける、前記上壁面の水抜き孔７及びその案内溝８を除く部分にアスファルト接着剤層Ｌが形成され、さらに設置後に舗装地Ｒから露出する境界形成片５の上壁面及び前壁面上部に汚染防止用の防汚フィルムＦが剥離可能に接着され、図面では設置後における剥離始めの状態が示されている。
【００６１】
設置工事に際して、表層Ｓｃ及び基層Ｓｂ等からなる舗装層Ｓが、前記被接合壁面Ｗに沿って、それらの面上の各アスファルト接着剤層Ｌを介して各々構築され、その場合、透水性舗装層からなる表層Ｓｃは前記被接合壁面Ｗの部分傾斜壁面Ｗｅ及び水平壁面Ｗｄに沿って、また非透水性舗装層からなる基層Ｓｂは前記被接合壁面Ｗの傾斜壁面Ｗｂに沿って、さらに路盤Ｓａは前記被接合壁面Ｗの垂直壁面Ｗａに沿って各々構築される。
【００６２】
前記ＰＣ構造体Ｑの設置後において、舗装地Ｒ上に降った雨水の内、表層Ｓｃ表面を流れる雨水は前記境界形成片５の前壁面における導水孔１０及び案内空洞９並びに上壁面における排水孔３及び案内溝４を順次介して排水路２内に流出し、また表層Ｓｃを透過した雨水は前記水抜き孔７及び案内溝８を介して排水路２内に流出する。
【符号の説明】
【００６３】
Ｑ  ＰＣ構造体
Ｈ  地面構造
Ｒ  舗装地
Ｓ  舗装層
Ｓａ  路盤
Ｓｂ  基層
Ｓｃ  表層
Ｗ  被接合壁面
Ｗａ  垂直壁面
Ｗｂ  傾斜壁面
Ｗｃ  湾曲壁面
Ｗｄ  水平壁面
Ｗｅ  部分傾斜壁面
Ｌ  アスファルト接着剤層
Ｆ  防汚フィルム
２  排水路
３  排水孔
４  案内溝
５  境界形成片
６  排水路
７  水抜き孔
８  案内溝
９  案内空洞
１０  導水孔
１１  基礎砕石
１２  均コンクリート
１４  加熱装置
１５  保護フィルム
１６  微粒
２１  アスファルト塗布層
２２  アスファルトシート
２３  シート基材
２４  アスファルト材
【図１】
2011038350.tif 000003
【図２】
2011038350.tif 000004
【図３】
2011038350.tif 000005
【図４】
2011038350.tif 000006
【図５】
2011038350.tif 000007